(57)【要約】【課題】証券発行装置において、オペレータの作業を簡略化するとともに印刷ミスを減らして証券の再発行に要する余分なコスト及び時間を削減する。【解決手段】証券発行装置３０は、６段の給紙カセット４１ａ〜４１ｆを備え、各給紙カセットに異なる券種の証券用紙を収納する。証券発行装置３０のＣＰＵ３１は、ホストコンピュータ１０から受信したコマンドに従って、小切手発行処理、手形発行処理、パーソナルチェック発行処理を実行する。これらの各処理において、ＣＰＵ３１は給紙カセット４１ａ〜４１ｆの何れかを選択し、選択した給紙カセットから給紙した証券用紙にホストコンピュータ１０から受信した券面要件のフォームデータを指定された部数印刷し、小切手、手形、パーソナルチェックを発行する。【選択図】　　　　　図６
2004106224.tif 000002
【特許請求の範囲】
【請求項１】
証券の券種に応じた複数種類の証券用紙に券面要件を印刷して証券を発行する証券発行装置であって、
前記複数種類の各証券用紙を収納し、前記証券発行装置から取り外しできないように設けられた複数の用紙収納手段と、
前記複数の用紙収納手段の各々を識別するための識別情報と前記各用紙収納手段に収納された証券用紙の券種の情報とを対応付けて記憶する記憶手段と、
前記複数の用紙収納手段に収納された証券用紙を給紙する給紙手段と、
前記給紙手段により給紙された証券用紙に前記券面要件を印刷する印刷手段と、
前記券種の情報を入力する入力手段と、
前記入力手段により入力された券種の情報に対応する用紙収納手段の識別情報を前記記憶手段から読み出して、該識別情報に対応する用紙収納手段に収納された証券用紙を前記給紙手段により給紙させる制御手段と、
を備えることを特徴とする証券発行装置。
【請求項２】
前記入力手段は、前記複数の各用紙収納手段の識別情報と前記券種の情報とを入力し、
前記制御手段は、前記入力手段により入力された前記複数の各用紙収納手段の識別情報と前記券種の情報とを対応付けて前記記憶手段に記憶させることを特徴とする請求項１記載の証券発行装置。
【請求項３】
前記複数の用紙収納手段には、小切手の表紙兼裏紙用の証券用紙を収納する用紙収納手段と、小切手の受領書用の証券用紙を収納する用紙収納手段と、手形の表紙兼裏紙用の証券用紙を収納する用紙収納手段と、手形の受領書用の証券用紙を収納する用紙収納手段と、前記小切手及び前記手形の本券用の証券用紙を収納する用紙収納手段とが含まれることを特徴とする請求項１又は２記載の証券発行装置。
【発明の詳細な説明】
【０００１】
【発明の属する技術分野】
本発明は、証券発行システムにおける証券発行装置に関する。
【０００２】
【従来の技術】
従来、手形や小切手等の証券を発行する証券発行システムが開発されている。この証券発行システムは、ホストコンピュータに証券発行装置が接続されて構成され、ホストコンピュータに入力された証券発行の依頼情報に基づいて生成された発行データに従って、証券発行装置にセットされた証券用紙に印刷を行うものである（例えば、特許文献１参照）。
【０００３】
証券としては、例えば一般小切手、自己宛小切手、約束手形、為替手形等、多数の券種が存在し、その券種によって印刷する要件が異なるだけでなく、金融機関によっては券種毎に証券用紙のサイズや種類を変える場合もあるため、多数の証券用紙が準備され、管理されている。そして、証券を発行する際には、その都度オペレータが証券発行元の金融機関及び券種に応じた証券用紙を入れた給紙カセットを証券発行装置にセットして証券の発行作業を行っていた。
【０００４】
【特許文献１】
特開平１０−２７８３９４号公報（第６−９頁、第１図）
【０００５】
【発明が解決しようとする課題】
しかしながら、従来の証券発行装置は小型で給紙カセットを装着するスロット数が少なく、また券種別の給紙カセットが必要に応じて抜き差しされて使用されていたため、オペレータは発行する券種を変更する度に頻繁に給紙カセットを差し替えなければならず、作業が煩雑であった。
【０００６】
また、オペレータが給紙カセットを差し替える際に誤った給紙カセットを装着してしまう場合があり、正確な用紙に証券を印刷できず、証券を再発行しなければならず、余分なコストや時間がかかるという問題があった。
【０００７】
本発明の課題は、証券発行装置において、オペレータの作業を簡略化するとともに印刷ミスを減らして証券の再発行に要する余分なコスト及び時間を削減することである。
【０００８】
【課題を解決するための手段】
請求項１記載の発明は、
証券の券種に応じた複数種類の証券用紙に券面要件を印刷して証券を発行する証券発行装置であって、
前記複数種類の各証券用紙を収納し、前記証券発行装置から取り外しできないように設けられた複数の用紙収納手段と、
前記複数の用紙収納手段の各々を識別するための識別情報と前記各用紙収納手段に収納された証券用紙の券種の情報とを対応付けて記憶する記憶手段と、
前記複数の用紙収納手段に収納された証券用紙を給紙する給紙手段と、
前記給紙手段により給紙された証券用紙に前記券面要件を印刷する印刷手段と、
前記券種の情報を入力する入力手段と、
前記入力手段により入力された券種の情報に対応する用紙収納手段の識別情報を前記記憶手段から読み出して、該識別情報に対応する用紙収納手段に収納された証券用紙を前記給紙手段により給紙させる制御手段と、
を備えることを特徴としている。
【０００９】
この請求項１記載の発明によれば、オペレータによる給紙カセット交換作業の手間を省き、証券発行の作業効率を高めることができる。また、印刷ミスの発生を抑えて、再発行に要する余分なコスト及び時間を低減することができる。
【００１０】
【発明の実施の形態】
〈証券について〉
まず、本実施の形態における構成の説明の前提として、証券発行装置３０により発行される証券について説明する。証券は通常、証券を複数枚まとめて冊子に製本した形態で顧客に提供することが多い。この冊子は、発行元の金融機関によっても異なるが、例えば表紙、複数枚の本券、受領書（証券が残り少ないことを通知すると共に新たな証券作成の依頼書を兼ねるもの）、複数枚の本券、裏紙の順に綴じられている。表紙及び裏紙には白地でミシン目が無い証券用紙が共通して用いられ、受領書には、白地でミシン目が有る証券用紙が用いられる。また、本券には地紋と呼ばれる発行元の金融機関に固有の紋様が印刷された証券用紙が用いられ、ミシン目が入れられている。
【００１１】
〈証券発行システム１００〉
次に、本発明を適用した証券発行システム１００の構成を説明する。
図１は、本実施の形態における証券発行システム１００の全体構成を示す図である。図１において、証券発行システム１００は、ホストコンピュータ１０と証券発行装置３０により構成され、ホストコンピュータ１０と証券発行装置３０とはケーブルＣを介して接続されている。なお、ホストコンピュータ１０に接続される証券発行装置３０の台数は１台に限らず複数であってもよい。
【００１２】
〈ホストコンピュータ１０の構成〉
ここで、図１を参照してホストコンピュータ１０を構成する各部について詳細に説明する。ホストコンピュータ１０は、ＣＰＵ１１、表示装置１２、入力装置１３、伝送制御部１４、ＲＡＭ１５、記憶装置１６、Ｉ／Ｆ１７から構成され、各部はバス１８により接続される。
【００１３】
ＣＰＵ（Ｃｅｎｔｒａｌ　Ｐｒｏｃｅｓｓｉｎｇ　Ｕｎｉｔ）１１は、記憶装置１６に記憶されている各種制御プログラムを読み出してＲＡＭ１５に展開し、当該制御プログラムに従ってホストコンピュータ１０の各部を集中制御する。具体的には、ＣＰＵ１１は、記憶装置１６から小切手発行制御処理プログラム、手形発行制御処理プログラム、パーソナルチェック発行制御処理プログラムを読み出して、後述する小切手発行制御処理、手形発行制御処理、パーソナルチェック発行制御処理を実行する。
【００１４】
ＣＰＵ１１は、伝送制御部１４を介して顧客端末から証券発行の依頼情報を受信すると、受信した依頼情報を記憶装置１６に格納された証券発行情報管理ＤＢ１６１内の受付ファイル１６４に格納するとともに、受信した依頼情報のうち証券発行装置３０による証券発行処理に関る情報を抽出して印刷ジョブファイル１５１をＲＡＭ１５内に作成する。また、依頼情報により指定された証券の発行冊数をＲＡＭ１５内に記憶する。
【００１５】
ここで印刷ジョブファイル１５１について説明する。
図２は、印刷ジョブファイル１５１を示す図である。印刷ジョブファイル１５１には、顧客端末から依頼された印刷順序と、券種と、印刷枚数と、印刷終了フラグとが対応付けて記憶されている。印刷終了フラグは、印刷が終了したか否かを管理するためのフラグであり、０であれば印刷処理が未実行であり、１であれば印刷処理が終了したことを意味する。ＣＰＵ１１は、印刷ジョブファイル１５１に格納された印刷順序に従って、券種毎の券面要件のフォームデータ及び印刷部数を示す部数データを証券発行装置３０に送信して証券を発行させる。また、ＣＰＵ１１は、券種毎の印刷が終了する度に証券発行装置３０から印刷終了データを受信し、印刷ジョブファイル１５１の印刷終了フラグを０から１に書き換える。
【００１６】
ＣＰＵ１１は、小切手発行制御処理において、印刷ジョブファイル１５１に格納された情報に従い、小切手の券種（例えば、表紙／裏紙、本券、受領書等）毎に、券種を指定するコマンドを証券発行装置３０に送信した後、券面要件のフォームデータ及び印刷部数を指定する部数データを送信して印刷させる。次いでＣＰＵ１１は、証券発行装置３０から印刷終了データを受信すると、印刷ジョブファイル１５１に設けられた印刷終了フラグを０から１に変更し、続いて印刷する券種を指定するコマンドを送信した後、券面要件のフォームデータ及び部数データを送信する。
【００１７】
また、ＣＰＵ１１は１冊分の小切手の印刷が終了する毎にＲＡＭ１５に記憶した発行冊数のカウント値を１加算し、依頼情報により指定された証券の発行冊数分の印刷が終了するまで印刷処理を繰り返す。そして、指定された発行冊数分の証券の印刷が終了すると、証券発行装置３０に印刷終了コマンドを送信して小切手の発行処理を終了させる。
【００１８】
ＣＰＵ１１は、手形発行制御処理において、印刷ジョブファイル１５１に格納された情報に従い、手形の券種を指定するコマンドを証券発行装置３０に送信した後、券面要件のフォームデータ及び部数データを送信して印刷させる。次いで、ＣＰＵ１１は、依頼情報により指定された証券の発行冊数分の印刷が終了するまで券種毎のフォームデータ及び部数データを証券発行装置３０に送信し、指定された発行冊数分の証券の印刷が終了すると、証券発行装置３０に印刷終了コマンドを送信して手形の発行処理を終了させる。
【００１９】
ＣＰＵ１１は、パーソナルチェック発行制御処理において、印刷ジョブファイル１５１に格納された情報に従い、パーソナルチェックの券種を指定するコマンドを証券発行装置３０に送信した後、券面要件のフォームデータ及び部数データを送信して印刷させる。次いで、ＣＰＵ１１は、依頼情報により指定された証券の発行冊数分の印刷が終了するまで券種毎のフォームデータ及び部数データを証券発行装置３０に送信し、指定された発行冊数分の証券の印刷が終了すると、証券発行装置３０に印刷終了コマンドを送信してパーソナルチェックの発行処理を終了させる。
【００２０】
表示装置１２は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等により構成された表示ディスプレイを備え、ＣＰＵ１１の指示に従って入力される表示データを表示ディスプレイに表示する。
【００２１】
入力装置１３は、カーソルキー、数字キー及び各種機能キー等を備えたキーボードを備え、オペレータにより押下されたキーに対応する押下信号をＣＰＵ１１に出力する。なお、マウスやタッチパネル等のポインティングディバイスを備えることとしてもよい。
【００２２】
伝送制御部１４は、モデム、ターミナルアダプタ、ルータ等によって構成され、ネットワーク上の外部機器と通信を行うための通信制御を行う。例えば、各金融機関のサーバとネットワークを介して通信を行い、証券発行の依頼情報を受信する。
【００２３】
ＲＡＭ（Ｒａｎｄｏｍ　Ａｃｃｅｓｓ　Ｍｅｍｏｒｙ）１５は、ＣＰＵ１１により実行される各種プログラム、入力データ及び処理結果の各種データを一時的に格納するワークエリアを有する。また、ＲＡＭ１５は、ＣＰＵ１１により作成される印刷ジョブファイル１５１を格納するとともに、ＣＰＵ１１からの入力指示に従って証券の発行冊数のカウント値を記憶する。
【００２４】
記憶装置１６は、プログラムやデータ等が予め記憶されている記憶媒体（図示せず）を有しており、この記憶媒体は記憶装置１６に固定的に設けたもの、若しくは着脱自在に装着するものであり、この記憶媒体は、ホストコンピュータ１０に対応する各種制御プログラム、小切手発行制御処理プログラム、手形発行制御処理プログラム、パーソナルチェック発行制御処理プログラム及びこれらのプログラムで処理されたデータ等を記憶する。
【００２５】
また、記憶装置１６は、図３に示すように証券発行情報管理ＤＢ１６１を格納し、その内部に口座マスタファイル１６２、支店マスタファイル１６３、受付ファイル１６４、発行ファイル１６５、システムファイル１６６、発行券種設定ファイル１６７、発行制御ファイル１６８、印字制御ファイル１６９、印字パターン設定ファイル１７０、印刷フォームファイル１７１、券種設定ファイル１７２、書損ファイル１７３等を格納している。
【００２６】
口座マスタファイル１６２は、顧客から申請されて登録された当座口座に関わる情報を格納し、支店マスタファイル１６３は、予め登録されている証券発行元の金融機関の支店情報を格納し、受付ファイル１６４は、顧客から入力された証券発行に必要な依頼情報を格納し、発行ファイル１６５は、実際に証券用紙に券面要件を印刷するために必要な全ての情報をファイル１６２〜１６４から取得して作成された証券の発行データを格納している。この発行データには、証券発行するために必要な情報として、証券発行元の金融機関番号、券種コード、顧客名、口座番号、発行冊数等の情報が含まれている。
【００２７】
また、システムファイル１６６は、証券発行に必要な各種機器、ファイル、各種設定についての情報を格納し、発行券種設定ファイル１６６は、証券発行元の各金融機関によって設定されている手形、小切手等の各券種に関する情報を格納する。発行制御ファイル１６８は、証券発行装置３０により証券を発行する際に必要な各種設定情報を格納する。
【００２８】
印字制御ファイル１６９は、証券の券面に印刷する項目の印字内容、位置、属性等の印字制御に関する情報を格納する。具体的には、図４にそのデータ格納例を示すように、例えば印字内容である支店名印字１及び支店名印字２、印字内容である支店名１，２を印刷する位置を示す支店名ｘ及び支店名ｙ、支店名を印字するサイズを示す支店名サイズ等の各フィールド名、各フィールドのデータのタイプ（数値／文字）、データサイズ等を対応付けて格納する。
【００２９】
印字パターン設定ファイル１７０は、券面に印刷するＭＩＣＲ（Ｍａｇｎｅｔｉｃ　ＩｎｋＣｈａｒａｃｔｅｒ　Ｒｅｃｏｇｎｉｔｉｏｎ：磁気インク文字認識）トナーと透明蛍光トナーとの印字パターンを設定したパターン情報を格納し、印刷フォームファイル１７１は、証券の券面に印刷するレイアウトを証券発行元毎の各種券種に応じて設定した印刷フォームを格納する。
【００３０】
券種設定ファイル１７２は、証券の券種を指定する情報を格納している。具体的には、図５にそのデータ格納例を示すように、金融機関の識別用の金融機関番号、券種コード、券種名、用紙種類等の各フィールド名、各フィールドのデータタイプ、データサイズ等を対応付けて格納する。
【００３１】
券種設定ファイル１７２に格納された金融機関番号は、証券発行元の各金融機関に対して登録されている４桁の番号を格納し、券種コードは証券用紙の券種に対応する券種コードを格納し、例えば券種が一般小切手であれば「０１」、自己宛小切手であれば「０２」、約束手形であれば「０３」等、予め各種券種に対して設定されている券種コードが格納される。用紙種類は、証券用紙の区分コードを格納し、例えば証券用紙が本券用であれば「０」、表紙用であれば「１」、裏紙用であれば「２」、受領書用であれば「３」、その他の証券用紙であれば「４」のコードが格納される。
【００３２】
書損ファイル１７３は、証券発行の際にジャム等により発生した不良券面の数量や当日の発行量、使用量等の情報を格納している。
【００３３】
Ｉ／Ｆ１７は、ケーブルＣを介してホストコンピュータ１０に接続された証券発行装置３０と、データを入出力するためのインターフェイスである。
【００３４】
〈証券発行装置３０の構成〉
次に、図６を参照して、証券発行装置３０について詳細に説明する。
図６は、証券発行装置３０の機能的構成を示すブロック図である。図６において、証券発行装置３０は、メイン制御部３０ａ、入力装置３８、ＨＤＤ３９、表示装置４０、印刷装置４１、後処理装置４２により構成される。
【００３５】
また、メイン制御部３０ａは、ＣＰＵ３１、入力制御部３２、ＲＡＭ３３、外部記憶制御部３４、Ｉ／Ｆ３５、表示制御部３６、証券印刷制御部３７から構成され、各部はバス４３により接続されている。
【００３６】
なお、入力制御部３２には入力装置３８が、外部記憶制御部３４にはＨＤＤ３９が、表示制御部３６には表示装置４０が、証券印刷制御部３７には印刷装置４１が接続されている。
【００３７】
以下に、証券発行装置３０の各構成部について説明するが、図１に示したホストコンピュータ１０の入力装置１３及び表示装置１２と同一の機能を有する入力装置３８及び表示装置４０については、その詳細な説明を省略する。
【００３８】
ＣＰＵ３１は、ホストコンピュータ１０の指示に従って証券発行装置３０の各部、印刷装置４１、後処理装置４２を集中制御し、証券の印刷及び後処理動作を実行させる。具体的には、ＣＰＵ３１は後述する小切手発行処理、手形発行処理、パーソナルチェック発行処理、給紙カセット選択処理を実行する。
【００３９】
ＣＰＵ３１は、小切手発行処理において、ホストコンピュータ１０から受信したコマンドに応じて給紙カセットを選択し、選択した給紙カセットから給紙した証券用紙にホストコンピュータ１０から受信したフォームデータを指示された部数印刷する。次いで、印刷が終了するとホストコンピュータ１０に印刷終了データを送信する。
【００４０】
ＣＰＵ３１は、手形発行処理及びパーソナルチェック発行処理において、上記小切手発行処理と同様の手順で、ホストコンピュータ１０から受信したコマンドに従って給紙カセットを選択し、選択した給紙カセットから給紙した証券用紙にホストコンピュータ１０から受信したフォームデータを指示された部数印刷する。そして、印刷終了データをホストコンピュータ１０に送信する。
【００４１】
ＣＰＵ３１は、上記小切手発行処理、手形発行処理、パーソナルチェック発行処理の各処理において、給紙カセット選択処理を実行する。ＣＰＵ３１は、給紙カセット選択処理において、図７に示す給紙カセット情報テーブル３９ａを参照して、後述する印刷装置４１内の給紙装置に設けられた給紙カセット４１ａ〜４１ｆのうち、ホストコンピュータ１０から受信したコマンドにより指定された券種に対応する給紙カセットを選択する。
【００４２】
ここで、図７を参照して給紙カセット情報テーブル３９ａについて説明する。図７に示すように、給紙カセット情報テーブル３９ａには、後述する印刷装置４１内の給紙装置に設けられた６段の給紙カセットの識別情報４１ａ〜４１ｆと各給紙カセットに収納された証券用紙の券種とが対応付けて記憶されている。本実施の形態では、１段目の給紙カセット４１ａには小切手の表紙及び裏紙兼用の用紙（以下、小切手表紙／裏紙とする）が収納され、２段目の給紙カセット４２ｂには小切手受領書用紙が収納され、３段目の給紙カセット４２ｃには手形の表紙及び裏紙兼用の用紙（以下、手形表紙／裏紙とする）が収納され、４段目の給紙カセット４１ｄには手形受領書用紙が収納され、５段目の給紙カセット４１ｅにはパーソナルチェック表紙用紙が収納され、６段目の給紙カセット４１ｆには小切手及び手形並びにパーソナルチェック兼用の本券用紙が収納されている。
【００４３】
なお、給紙カセット情報テーブル３９ａに記憶された各給紙カセット内に収納された証券用紙の券種の情報は上記例に限定されるものではなく、入力装置３８からの指示入力に応じて変更可能である。
【００４４】
入力制御部３２は、入力装置３８とメイン制御部３０ａとを接続するためのインターフェイスであり、入力装置３８から入力された押下信号をメイン制御部３０ａのＣＰＵ３１に出力する。
【００４５】
ＲＡＭ３３は、ＣＰＵ３１により実行される各種処理の処理結果及び入力データ等の各種データを一時的に格納するワークエリアを有する。
【００４６】
外部記憶制御部３４は、ＣＰＵ３１の指示に従って、外部記憶装置であるＨＤＤ（Ｈａｒｄ　Ｄｉｓｋ　Ｄｒｉｖｅ）３９へのデータの保存及び読み出しを制御する。例えば、ＣＰＵ３１から保存指示を入力されると、ＨＤＤ３９内への空き容量を判定してこの空き容量の領域内に入力されたデータを保存し、ＣＰＵ３１から読み出し指示を入力されると、ＨＤＤ３９から指定されたデータを読み出して指定された各部へ出力する。なお、ＨＤＤ３９は、図７に示す給紙カセット情報テーブル３９ａを格納する。
【００４７】
Ｉ／Ｆ３５は、ケーブルＣを介して証券発行装置３０に接続されたホストコンピュータ１０と、データを入出力するためのインターフェイスである。
【００４８】
表示制御部３６は、ＣＰＵ３１の指示に従って、表示装置４０に表示データを表示させる際の表示制御を行う。
【００４９】
証券印刷制御部３７は、ＣＰＵ３１の指示に従って、印刷装置４１の駆動を制御する。また、証券印刷制御部３７は、証券用紙を搬送するための搬送機構を制御し、指定された給紙装置からセットされた証券用紙を搬送して印刷装置４１に供給する。
【００５０】
印刷装置４１は、証券用紙を収納する給紙装置を備え、証券印刷制御部３７による駆動制御に従って、指定された証券用紙に発行データに基づいて券面要件を印刷し、印刷した券面を後処理装置４２に出力する。なお、印刷装置４１の印刷方式としては、レーザ方式、インクジェット方式、ドットインパクト方式、タンデム方式、電子写真方式等の多数の方式が存在するが、これらのうち何れの方式を適用してもよい。
【００５１】
印刷装置４１内の給紙装置には、６段の給紙カセットが備えられており、各給紙カセットには４１ａ〜４１ｆの識別情報が付され、給紙カセット４１ａ〜４１ｆには異なる券種の証券用紙が収納されている。図８は、印刷装置４１の一部断面図である。図８に示すように、各々の給紙カセットには固定部材４１０が設けられ、給紙カセットを格納する証券発行装置３０の本体側には固定部材３００が設けられており、給紙カセットを本体から引き出すと給紙カセット側の固定部材４１０が本体側の固定部材３００により係止され、給紙カセットが本体から取り外せないように構成されている。証券用紙がなくなった場合には、給紙カセットを途中まで引き出して証券用紙を補充する。なお、各給紙カセットの識別情報４１ａ〜４１ｆと各給紙カセットに収納された証券用紙の券種は、前述したＨＤＤ３９内の給紙カセット情報テーブル３９ａに記憶されている。
【００５２】
後処理装置４２は、デカーラ機構部４２ａ、スリッタ機構部４２ｂ、イメージキャプチャ部４２ｃ、搬送機構部４２ｄ、ＭＩＣＲリーダ機構部４２ｅ、スタッカ機構部４２ｆを有し、印刷された証券を製本可能な状態に仕上げるための各種後処理を実行する。
【００５３】
デカーラ機構部４２ａは、印刷時に湾曲した券面を矯正する機構を有し、スリッタ機構部４２ｂは、印刷の効率化を図るために２面分を１枚の証券用紙に収めた２面タイプの証券用紙に券面要件が印刷された後、１面づつの単券にカットする機構を有している。イメージキャプチャ部４２ｃは、光学的なスキャナ機構を有し、券面に印刷されている識別コードを読み取る。
【００５４】
搬送機構部４２ｄは、ＣＰＵ３１の指示に従って後処理装置４２に入力された証券を後処理装置４２の各部に搬送する機構を有し、ＭＩＣＲリーダ機構部４２ｅは、券面に印刷されているＭＩＣＲ文字コードを読み取る磁気的なスキャナ機構を有している。また、スタッカ機構部４２ｆは、後処理装置４２による後処理を終了した券面を収納する機構を有する。
【００５５】
〈証券発行システム１００の動作〉
図９は、証券発行システム１００における証券の依頼から発行までの処理工程の全体的な流れを示す図である。
【００５６】
図９において、まず顧客が、例えば顧客端末から金融機関のサーバが開設している証券発注専用のホームページにアクセスし、顧客名、顧客の当座口座番号、依頼する券種、数量等の証券発行に必要な依頼情報を入力して証券発行を依頼する。または、依頼情報を記憶しているＦＤ（フロッピー（登録商標）ディスク）やＭＴ（磁気テープ）等の記憶媒体をサーバに読み込ませて依頼情報を入力することとしてもよい。金融機関のサーバは受付ファイルに入力された依頼情報を格納し、格納した依頼情報を指示に応じてホストコンピュータ１０にネットワークを介して送信する。
【００５７】
ホストコンピュータ１０は、サーバから伝送制御部１４を介して顧客からの依頼情報を受信して依頼を受け付け、受信した依頼情報を受付ファイル１６４に格納する。または、営業店からホストコンピュータ１０に直接依頼情報を入力されると、同様に受付ファイル１６４に格納し、依頼に関する情報を一覧表示した依頼一覧リストを作成する（Ａ１）。
【００５８】
次いで、ホストコンピュータ１０は、記憶装置１６に格納されている各種マスタファイルや口座マスタファイル１６２を参照して、受付ファイル１６４に基づく発行データを作成し、発行ファイル１６５に格納する。このとき、発行データを作成するための情報が足りない等、エラーが発生した場合にはそのエラーに関する情報を一覧表示したエラーリストを作成する（Ａ２）。
【００５９】
次いで、ホストコンピュータ１０は、発行ファイル１６５に格納されている発行データを読み出して、発行する券種、数量に応じた適切な証券発行装置３０に各発行データを割り振り、発行データの割り振り先を一覧表示した割り振りリストを作成する（Ａ３）。このとき、発行データ取り消しの指示が入力装置１３から入力された場合は、発行ファイル１６５から指定された発行データを削除する。
【００６０】
発行データの割り振り処理を終了すると、ホストコンピュータ１０は、証券発行装置３０に発行データに基づく印刷実行を指示し、証券発行装置３０はホストコンピュータ１０から入力された発行データに基づいて、証券用紙に券面要件を印刷し、手形・小切手・パーソナルチェックの証券を発行する（Ａ４）。
【００６１】
ここで、手形・小切手・パーソナルチェックの証券発行時に行われる臨時発行処理について説明する。臨時発行処理において、早急に追加したい割り込み発行データが作成された場合は、その割り込み発行データを記憶装置１６の割り込み発行ファイルに格納し、証券発行時にその割り込みデータを読み出して印刷を実行する。また、発行データ作成時にエラー判定された発行データを修正したエラー発行データが作成された場合には、記憶装置１６のエラー発行ファイルにそのエラー発行データを格納し、証券発行時にエラー発行データを読み出して印刷を実行する。さらに、証券の見本券面の見本発行データが作成された場合は、その見本発行データを記憶装置１６の見本発行ファイルに格納し、証券発行時に見本発行データを読み出して印刷を実行する。
【００６２】
このようにして手形・小切手・パーソナルチェックの証券を発行すると、その券面を綴じて背貼りする等して製本する製本処理に移行する（Ａ５）。
【００６３】
次に、図１０〜図１６のフローチャートを参照してホストコンピュータ１０のＣＰＵ１１による小切手発行制御処理、手形発行制御処理、パーソナルチェック発行制御処理、及び証券発行装置３０のＣＰＵ３１により実行される小切手発行処理、手形発行処理、パーソナルチェック発行処理、給紙カセット選択処理について説明する。
【００６４】
図１０は、ホストコンピュータ１０のＣＰＵ１１により実行される小切手発行制御処理を示すフローチャートである。なお、本フローチャートでは、図２の印刷ジョブファイル１５１に示すように、小切手表紙１枚、小切手本券４０枚、小切手受領書１枚、小切手本券１０枚、小切手裏紙１枚から構成される小切手冊子を発行する場合について説明する。
【００６５】
図１０に示す小切手発行制御処理において、ＣＰＵ１１は小切手の表紙の印刷を指示するコマンドを証券発行装置３０に送信する（ステップＳ１）。次いでＣＰＵ１１は、小切手の表紙に印刷する券面要件のフォームデータと１枚印刷することを指示する部数データとを証券発行装置３０に送信する（ステップＳ２）。
【００６６】
次いで、ＣＰＵ１１は、証券発行装置３０から印刷終了データを受信した否かを判別し（ステップＳ３）、受信しないと（ステップＳ３；ＮＯ）、待機を続け、受信すると（ステップＳ３；ＹＥＳ）、印刷ジョブファイル１５１内の表紙１枚の印刷処理に対応する印刷終了フラグを０から１に変更する（ステップＳ４）。次に、ＣＰＵ１１は、小切手の本券の印刷を指示するコマンドを証券発行装置３０に送信した後（ステップＳ５）、小切手の本券のフォームデータと４０枚の印刷を指示する部数データとを証券発行装置３０に送信する（ステップＳ６）。
【００６７】
次にＣＰＵ１１は、ホストコンピュータ３０から印刷終了データを受信したか否かを判別し（ステップＳ７）、受信しないと（ステップＳ７；ＮＯ）、待機を続け、受信すると（ステップＳ７；ＹＥＳ）、印刷ジョブファイル１５１内の本券４０枚の印刷処理に対応する印刷終了フラグを０から１に変更する（ステップＳ８）。次に、ＣＰＵ１１は、小切手の受領書の印刷を指示するコマンドを証券発行装置３０に送信した後（ステップＳ９）、小切手の受領書のフォームデータと１枚の印刷を指示する部数データとを証券発行装置３０に送信する（ステップＳ１０）。
【００６８】
次にＣＰＵ１１は、ホストコンピュータ３０から印刷終了データを受信したか否かを判別し（ステップＳ１１）、受信しないと（ステップＳ１１；ＮＯ）、待機を続け、受信すると（ステップＳ１１；ＹＥＳ）、印刷ジョブファイル１５１内の受領書１枚の印刷処理に対応する印刷終了フラグを０から１に変更する（ステップＳ１２）。次に、ＣＰＵ１１は、小切手の本券の印刷を指示するコマンドを証券発行装置３０に送信した後（ステップＳ１３）、小切手の本券のフォームデータと１０枚の印刷を指示する部数データとを証券発行装置３０に送信する（ステップＳ１４）。
【００６９】
次にＣＰＵ１１は、ホストコンピュータ３０から印刷終了データを受信したか否かを判別し（ステップＳ１５）、受信しないと（ステップＳ１５；ＮＯ）、待機を続け、受信すると（ステップＳ１５；ＹＥＳ）、印刷ジョブファイル１５１内の本券１０枚の印刷処理に対応する印刷終了フラグを０から１に変更する（ステップＳ１６）。次に、ＣＰＵ１１は、小切手の裏紙の印刷を指示するコマンドを証券発行装置３０に送信した後（ステップＳ１７）、小切手の裏紙のフォームデータと１枚の印刷を指示する部数データとを証券発行装置３０に送信する（ステップＳ１８）。
【００７０】
次にＣＰＵ１１は、ホストコンピュータ３０から印刷終了データを受信したか否かを判別し（ステップＳ１９）、受信しないと（ステップＳ１９；ＮＯ）、待機を続け、受信すると（ステップＳ１９；ＹＥＳ）、印刷ジョブファイル１５１内の裏紙１枚の印刷処理に対応する印刷終了フラグを０から１に変更するとともに、ＲＡＭ１５内に記憶した発行冊数のカウント値を１加算する（ステップＳ２０）。
【００７１】
続いてＣＰＵ１１は、ＲＡＭ１５に記憶された発行冊数のカウント値が、依頼情報によって指定された小切手の発行冊数に達したか否かを判別し（ステップＳ２１）、指定された発行冊数に満たない場合には（ステップＳ２１；ＮＯ）、印刷ジョブファイル１５１の印刷終了フラグを全てクリア、即ち１から０に変更して（ステップＳ２２）、ステップＳ１に戻る。一方、依頼情報によって指定された小切手の発行冊数に達した場合には（ステップＳ２１；ＹＥＳ）、証券発行装置３０に印刷終了コマンドを送信するとともに、印刷ジョブファイル１５１のデータをクリアして（ステップＳ２３）、小切手発行制御処理を終了する。
【００７２】
図１１は、証券発行装置３０のＣＰＵ３１により実行される小切手発行処理を示すフローチャートである。図１１に示す小切手発行処理において、ＣＰＵ３１はホストコンピュータ１０からコマンドを受信し（ステップＳ１０１）、受信したコマンドにより指定された券種が小切手の表紙又は裏紙ではない場合は（ステップＳ１０２；ＮＯ）、ステップＳ１０７に移行する。一方、受信したコマンドにより指定された券種が小切手の表紙又は裏紙である場合は（ステップＳ１０２；ＹＥＳ）、給紙カセット４１ａを選択する（ステップＳ１０３）。
【００７３】
次いで、ＣＰＵ３１はホストコンピュータ１０から小切手の表紙又は裏紙の券面要件のフォームデータ及び部数データを受信し（ステップＳ１０４）、受信した小切手の表紙／裏紙フォームを給紙カセット４１ａから給紙した証券用紙に指定された部数印刷する（ステップＳ１０５）。次に、ＣＰＵ３１は、ホストコンピュータ１０に印刷終了データを送信して（ステップＳ１０６）、ホストコンピュータ１０から印刷終了コマンドを受信したか否かを判別する（ステップＳ１１７）。ＣＰＵ３１は、印刷終了コマンドを受信すると（ステップＳ１１７；ＹＥＳ）、小切手発行処理を終了し、印刷終了コマンドを受信しなければ（ステップＳ１１７；ＮＯ）、ステップＳ１に戻る。
【００７４】
ＣＰＵ３１は、上記ステップＳ１０２において、ホストコンピュータ１０から受信したコマンドが小切手の表紙／裏紙を指定するものではない場合には（ステップＳ１０２；ＮＯ）、受信コマンドが小切手の本券を指定するものであるか否かを判別し（ステップＳ１０７）、小切手の本券を指定するものではない場合は（ステップＳ１０７；ＮＯ）、ステップＳ１１２に移行し、小切手の本券を指定する者である場合には（ステップＳ１０７；ＹＥＳ）、大容量給紙カセット４１ｆを選択する（ステップＳ１０８）。
【００７５】
次いで、ＣＰＵ３１は、ホストコンピュータ１０から本券のフォームデータ及び部数データを受信し（ステップＳ１０９）、受信した小切手の本券フォームを大容量給紙カセット４１ｆから給紙された証券用紙に指定された部数印刷する（ステップＳ１１０）。次に、ＣＰＵ３１は、ホストコンピュータ１０に印刷終了データを送信して（ステップＳ１１１）、ステップＳ１１７に移行する。
【００７６】
ＣＰＵ３１は、上記ステップＳ１０７においてホストコンピュータ１０から受信したコマンドが小切手の本券を指定するものではないと判別すると（ステップＳ１０７；ＮＯ）、受信したコマンドが小切手の受領書を指定しているか否かを更に判別する（ステップＳ１１２）。ここで、受信コマンドが小切手の受領書を指定するものではない場合（ステップＳ１１２；ＮＯ）、ＣＰＵ１１は小切手発行処理以外の他の処理を実行する。
【００７７】
一方、ＣＰＵ３１は、受信したコマンドが小切手の受領書を指定するものであると判別した場合には（ステップＳ１１２；ＹＥＳ）、給紙カセット４１ｂを選択し（ステップＳ１１３）、小切手の受領書フォームデータ及び部数データをホストコンピュータ１０から受信する（ステップＳ１１４）。次いで、ＣＰＵ３１は受信した小切手の受領書フォームを給紙カセット４１ｂから給紙された証券用紙に指定された部数印刷し（ステップＳ１１５）、印刷終了データをホストコンピュータ１０に送信し（ステップＳ１１６）、ステップＳ１１７に移行する。
【００７８】
図１２は、ホストコンピュータ１０のＣＰＵ１１により実行される手形発行制御処理を示すフローチャートである。なお、本フローチャートでは、図２の印刷ジョブファイル１５１において、手形表紙１枚、手形本券４０枚、手形受領書１枚、手形本券１０枚、手形裏紙１枚から構成される手形冊子を発行する場合について説明する。
【００７９】
図１２に示す手形発行制御処理において、ＣＰＵ１１は手形の表紙の印刷を指示するコマンドを証券発行装置３０に送信する（ステップＳ３１）。次いでＣＰＵ１１は、手形の表紙に印刷する券面要件のフォームデータと１枚印刷することを指示する部数データとを証券発行装置３０に送信する（ステップＳ３２）。
【００８０】
次いで、ＣＰＵ１１は、証券発行装置３０から印刷終了データを受信した否かを判別し（ステップＳ３３）、受信しないと（ステップＳ３３；ＮＯ）、待機を続け、受信すると（ステップＳ３３；ＹＥＳ）、印刷ジョブファイル１５１内の表紙１枚の印刷処理に対応する印刷終了フラグを０から１に変更する（ステップＳ３４）。次に、ＣＰＵ１１は、手形の本券の印刷を指示するコマンドを証券発行装置３０に送信した後（ステップＳ３５）、手形の本券のフォームデータと４０枚の印刷を指示する部数データとを証券発行装置３０に送信する（ステップＳ３６）。
【００８１】
次にＣＰＵ１１は、ホストコンピュータ３０から印刷終了データを受信したか否かを判別し（ステップＳ３７）、受信しないと（ステップＳ３７；ＮＯ）、待機を続け、受信すると（ステップＳ３７；ＹＥＳ）、印刷ジョブファイル１５１内の本券４０枚の印刷処理に対応する印刷終了フラグを０から１に変更する（ステップＳ３８）。次に、ＣＰＵ１１は、手形の受領書の印刷を指示するコマンドを証券発行装置３０に送信した後（ステップＳ３９）、手形の受領書のフォームデータと１枚の印刷を指示する部数データとを証券発行装置３０に送信する（ステップＳ４０）。
【００８２】
次にＣＰＵ１１は、ホストコンピュータ３０から印刷終了データを受信したか否かを判別し（ステップＳ４１）、受信しないと（ステップＳ４１；ＮＯ）、待機を続け、受信すると（ステップＳ４１；ＹＥＳ）、印刷ジョブファイル１５１内の受領書１枚の印刷処理に対応する印刷終了フラグを０から１に変更する（ステップＳ４２）。次に、ＣＰＵ１１は、手形の本券の印刷を指示するコマンドを証券発行装置３０に送信した後（ステップＳ４３）、手形の本券のフォームデータと１０枚の印刷を指示する部数データとを証券発行装置３０に送信する（ステップＳ４４）。
【００８３】
次にＣＰＵ１１は、ホストコンピュータ３０から印刷終了データを受信したか否かを判別し（ステップＳ４５）、受信しないと（ステップＳ４５；ＮＯ）、待機を続け、受信すると（ステップＳ４５；ＹＥＳ）、印刷ジョブファイル１５１内の本券１０枚の印刷処理に対応する印刷終了フラグを０から１に変更する（ステップＳ４６）。次に、ＣＰＵ１１は、手形の裏紙の印刷を指示するコマンドを証券発行装置３０に送信した後（ステップＳ４７）、手形の裏紙のフォームデータと１枚の印刷を指示する部数データとを証券発行装置３０に送信する（ステップＳ４８）。
【００８４】
次にＣＰＵ１１は、ホストコンピュータ３０から印刷終了データを受信したか否かを判別し（ステップＳ４９）、受信しないと（ステップＳ４９；ＮＯ）、待機を続け、受信すると（ステップＳ４９；ＹＥＳ）、印刷ジョブファイル１５１内の裏紙１枚の印刷処理に対応する印刷終了フラグを０から１に変更するとともに、ＲＡＭ１５内に記憶した発行冊数のカウント値を１加算する（ステップＳ５０）。
【００８５】
続いてＣＰＵ１１は、ＲＡＭ１５に記憶された発行冊数のカウント値が、依頼情報によって指定された手形の発行冊数に達したか否かを判別し（ステップＳ５１）、指定された発行冊数に満たない場合には（ステップＳ５１；ＮＯ）、印刷ジョブファイル１５１の印刷終了フラグを全てクリア、即ち１から０に変更して（ステップＳ５２）、ステップＳ３１に戻る。一方、依頼情報によって指定された手形の発行冊数に達した場合には（ステップＳ５１；ＹＥＳ）、証券発行装置３０に印刷終了コマンドを送信するとともに、印刷ジョブファイル１５１のデータをクリアして（ステップＳ５３）、手形発行制御処理を終了する。
【００８６】
図１３は、証券発行装置３０のＣＰＵ３１により実行される手形発行処理を示すフローチャートである。図１３に示す手形発行処理において、ＣＰＵ３１はホストコンピュータ１０からコマンドを受信し（ステップＳ１２１）、受信したコマンドにより指定された券種が手形の表紙又は裏紙ではない場合（ステップＳ１２２；ＮＯ）、ステップＳ１２７に移行する。一方、受信したコマンドにより指定された券種が手形の表紙又は裏紙である場合は（ステップＳ１２２；ＹＥＳ）、給紙カセット４１ｃを選択する（ステップＳ１２３）。
【００８７】
次いで、ＣＰＵ３１はホストコンピュータ１０から手形の表紙又は裏紙の券面要件のフォームデータ及び部数データを受信し（ステップＳ１２４）、受信した手形の表紙／裏紙フォームを給紙カセット４１ｃから給紙した証券用紙に指定された部数印刷する（ステップＳ１２５）。次に、ＣＰＵ３１は、ホストコンピュータ１０に印刷終了データを送信した後（ステップＳ１２６）、ホストコンピュータ１０から印刷終了コマンドを受信したか否かを判別し（ステップＳ１３７）、印刷終了コマンドを受信すると（ステップＳ１３７；ＹＥＳ）、手形発行処理を終了し、印刷終了コマンドを受信しなければ（ステップＳ１３７；ＮＯ）、ステップＳ１２１に戻る。
【００８８】
ＣＰＵ３１は、上記ステップＳ１２２において、ホストコンピュータ１０から受信したコマンドが手形の表紙／裏紙を指定するものではない場合には（ステップＳ１２２；ＮＯ）、手形の本券を指定しているか否かを判別し（ステップＳ１２７）、手形の本券を指定してない場合は（ステップＳ１２７；ＮＯ）、ステップＳ１３２に移行し、手形の本券を指定している場合には（ステップＳ１２７；ＹＥＳ）、大容量給紙カセット４１ｆを選択する（ステップＳ１２８）。
【００８９】
ＣＰＵ３１は、ステップＳ１２８に続いて、ホストコンピュータ１０から本券のフォームデータ及び部数データを受信し（ステップＳ１２９）、受信した手形の本券フォームを大容量給紙カセット４１ｆから給紙された証券用紙に指定された部数印刷する（ステップＳ１３０）。次に、ＣＰＵ３１は、ホストコンピュータ１０に印刷終了データを送信して（ステップＳ１３１）、ステップＳ１３７に移行する。
【００９０】
ＣＰＵ３１は、上記ステップ１２７においてホストコンピュータ１０から受信したコマンドが手形の本券を指定するものではないと判別すると（ステップＳ１２７；ＮＯ）、受信したコマンドが手形の受領書を指定するものであるか否かを判別する（ステップＳ１３２）。ここで、受信コマンドが手形の受領書を指定するものではない場合（ステップＳ１３２；ＮＯ）、ＣＰＵ１１は手形発行処理以外の他の処理を実行する。
【００９１】
一方、ＣＰＵ３１は、受信したコマンドが手形の受領書を指定するものであると判別した場合には（ステップＳ１３２；ＹＥＳ）、給紙カセット４１ｄを選択し（ステップＳ１３３）、手形の受領書フォームデータ及び部数データをホストコンピュータ１０から受信する（ステップＳ１３４）。次いで、ＣＰＵ３１は受信した手形の受領書フォームを給紙カセット４１ｄから給紙された証券用紙に指定された部数印刷し（ステップＳ１３５）、印刷終了データをホストコンピュータ１０に送信し（ステップＳ１３６）、ステップＳ１３７に移行する。
【００９２】
図１４は、ホストコンピュータ１０によるパーソナルチェック発行制御処理を示すフローチャートである。なお、本フローチャートでは、図２の印刷ジョブファイル１５１において、パーソナルチェック表紙１枚、パーソナルチェック本券２０枚から構成されるパーソナルチェック冊子を発行する場合について説明する。
【００９３】
図１４に示すように、パーソナルチェック発行制御処理において、ＣＰＵ１１はパーソナルチェックの表紙の印刷を指示するコマンドを証券発行装置３０に送信する（ステップＳ６１）。次いで、ＣＰＵ１１は、パーソナルチェックに印刷する券面要件のフォームデータと１枚印刷することを指示する部数データとを証券発行装置３０に送信する（ステップＳ６２）。
【００９４】
次いで、ＣＰＵ１１は、証券発行装置３０から印刷終了データを受信した否かを判別し（ステップＳ６３）、受信しないと（ステップＳ６３；ＮＯ）、待機を続け、受信すると（ステップＳ６３；ＹＥＳ）、印刷ジョブファイル１５１内の表紙１枚の印刷処理に対応する印刷終了フラグを０から１に変更する（ステップＳ６４）。次に、ＣＰＵ１１は、パーソナルチェックの本券の印刷を指示するコマンドを証券発行装置３０に送信した後（ステップＳ６５）、パーソナルチェックの本券のフォームデータと４０枚の印刷を指示する部数データとを証券発行装置３０に送信する（ステップＳ６６）。
【００９５】
次にＣＰＵ１１は、ホストコンピュータ３０から印刷終了データを受信したか否かを判別し（ステップＳ６７）、受信しないと（ステップＳ６７；ＮＯ）、待機を続け、受信すると（ステップＳ６７；ＹＥＳ）、印刷ジョブファイル１５１内のパーソナルチェック２０枚の印刷処理に対応する印刷終了フラグを０から１に変更するとともに、ＲＡＭ１５内に記憶した発行冊数のカウント値を１加算する（ステップＳ６８）。
【００９６】
続いてＣＰＵ１１は、ＲＡＭ１５に記憶された発行冊数のカウント値が、顧客端末からの依頼情報によって指定されたパーソナルチェックの発行冊数に達したか否かを判別し（ステップＳ６９）、指定された発行冊数に満たない場合には（ステップＳ６９；ＮＯ）、印刷ジョブファイル１５１の印刷終了フラグを全てクリア、即ち１から０に変更して（ステップＳ７０）、ステップＳ６１に戻る。一方、依頼情報によって指定された小切手の発行冊数に達した場合には（ステップＳ６９；ＹＥＳ）、証券発行装置３０に印刷終了コマンドを送信するとともに、印刷ジョブファイル１５１のデータをクリアして（ステップＳ７１）、パーソナルチェック発行制御処理を終了する。
【００９７】
図１５は、証券発行装置３０のＣＰＵ３１によるパーソナルチェック発行処理を示すフローチャートである。図１５に示すパーソナルチェック発行処理において、ＣＰＵ３１はホストコンピュータ１０からコマンドを受信し（ステップＳ１４１）、受信したコマンドにより指定された券種がパーソナルチェックの表紙又は裏紙であるか否かを判別し（ステップＳ１４２）、パーソナルチェックの表紙又は裏紙ではない場合（ステップＳ１４２；ＮＯ）、ステップＳ１４７に移行する。
一方、受信したコマンドにより指定された券種がパーソナルチェックの表紙又は裏紙である場合は（ステップＳ１４２；ＹＥＳ）、給紙カセット４１ｅを選択する（ステップＳ１４３）。
【００９８】
次いで、ＣＰＵ３１はホストコンピュータからパーソナルチェックの表紙又は裏紙の券面要件のフォームデータ及び部数データを受信し（ステップＳ１４４）、受信したパーソナルチェックの表紙／裏紙フォームを給紙カセット４１ｅから給紙した証券用紙に指定された部数印刷する（ステップＳ１４５）。次に、ＣＰＵ３１は、ホストコンピュータ１０に印刷終了データを送信した後（ステップＳ１４６）、ホストコンピュータ１０から印刷終了コマンドを受信したか否かを判別し（ステップＳ１５２）、印刷終了コマンドを受信すると（ステップＳ１５２；ＹＥＳ）、パーソナルチェック発行処理を終了し、印刷終了コマンドを受信しなければ（ステップＳ１５２；ＮＯ）、ステップＳ１４１に戻る。
【００９９】
ＣＰＵ３１は、上記ステップＳ１４２において、ホストコンピュータ１０から受信したコマンドがパーソナルチェックの表紙／裏紙を指定するものではない場合には（ステップＳ１４２；ＮＯ）、パーソナルチェックの本券を指定するものであるか否かを判別し（ステップＳ１４７）パーソナルチェックの本券を指定するものではない場合には（ステップＳ１４７；ＮＯ）、パーソナルチェック発行処理以外の他の処理を実行し、パーソナルチェックの本券を指定する者である場合には（ステップＳ１４７；ＹＥＳ）、大容量給紙カセット４１ｆを選択する（ステップＳ１４８）。
【０１００】
次いで、ＣＰＵ３１は、ホストコンピュータ１０からパーソナルチェックの本券のフォームデータ及び部数データを受信し（ステップＳ１４９）、受信した本券フォームを大容量給紙カセット４１ｆから給紙された証券用紙に指定された部数印刷する（ステップＳ１５０）。次に、ＣＰＵ３１は、ホストコンピュータ１０に印刷終了データを送信して（ステップＳ１５１）、ステップＳ１５２に移行する。
【０１０１】
図１６は、証券発行装置３０のＣＰＵ３１による給紙カセット選択処理を示すフローチャートである。図１６に示す給紙カセット選択処理において、ＣＰＵ３１はホストコンピュータ１０からコマンドを受信すると（ステップＳ２０１）、小切手を指定するコマンドであるか否かを判別し（ステップＳ２０１）、小切手を指定するコマンドであれば（ステップＳ２０１；ＹＥＳ）、表紙又は裏紙のコマンドであるか否かを更に判別する（ステップＳ２０４）。
【０１０２】
ＣＰＵ３１は、ホストコンピュータ１０から受信したコマンドが小切手の表紙又は裏紙を指定するコマンドである場合には（ステップＳ２０４；ＹＥＳ）、給紙カセット４１ａを選択する（ステップＳ２０５）。一方、ＣＰＵ３１は、小切手の表紙又は裏紙を指定するコマンドではないと判別した場合には（ステップＳ２０４；ＮＯ）、小切手の本券を指定するコマンドであるか否かを更に判別し（ステップＳ２０６）、本券を指定するコマンドであれば（ステップＳ２０６；ＹＥＳ）、大容量給紙カセット４１ｆを選択し（ステップＳ２０７）、本券を指定するコマンドではなければ（ステップＳ２０６；ＮＯ）、給紙カセット４１ｂを選択する（ステップＳ２０８）。
【０１０３】
ＣＰＵ３１は、上記ステップＳ２０１において、ホストコンピュータ１０から受信したコマンドが小切手を指定するものではないと判別すると（ステップＳ２０１；ＮＯ）、コマンドが手形を指定するものであるか否かを更に判別する（ステップＳ２０２）。ＣＰＵ３１は、コマンドが手形を指定するものであると判別すると（ステップＳ２０２；ＹＥＳ）、コマンドが手形の表紙又は裏紙を指定するものであるか否かを判別し（ステップＳ２０９）、手形の表紙又は裏紙を指定するものであれば（ステップＳ２０９；ＹＥＳ）、給紙カセット４１ｃを選択する（ステップＳ２１０）。
【０１０４】
一方、ＣＰＵ３１は、ホストコンピュータ１０から受信したコマンドが手形の表紙又は裏紙を指定するものではないと判別すると（ステップＳ２０９；ＮＯ）、コマンドが手形の本券を指定するものであるか否かを更に判別する（ステップＳ２１１）。ＣＰＵ３１は、コマンドが本券を指定するものではないと判別すると（ステップＳ２１１；ＮＯ）、給紙カセット４１ｄを選択し（ステップＳ２１２）、手形の本券を指定するものであると判別すると（ステップＳ２１１；ＹＥＳ）、大容量給紙カセット４１ｆを選択する（ステップＳ２１３）。
【０１０５】
上記ステップＳ２０２において、ＣＰＵ３１はホストコンピュータ１０から受信したコマンドが手形ではないと判別すると（ステップＳ２０２；ＮＯ）、コマンドがパーソナルチェックを指定するものであるか否かを更に判別する（ステップＳ２０３）。ここで、受信コマンドがパーソナルチェックを指定するものであれば（ステップＳ２０３；ＹＥＳ）、ステップＳ２１４に移行し、パーソナルチェックを指定するものでなければ（ステップＳ２０３；ＮＯ）、ステップＳ２０１に戻る。
【０１０６】
ＣＰＵ３１は、ステップＳ２１４において、受信コマンドがパーソナルチェックの本券を指定するものであるか否かを判別し、本券を指定するものであれば（ステップＳ２１４；ＹＥＳ）、大容量給紙カセット４１ｆを選択し（ステップＳ２１５）、本券を指定するものではなければ（ステップＳ２１４；ＮＯ）、給紙カセット４１ｅを選択する（ステップＳ２１６）。
【０１０７】
以上説明したように、証券発行装置３０は、６段の給紙カセット４１ａ〜４１ｆを備え、各給紙カセットに異なる券種の証券用紙を収納する。証券発行装置３０のＣＰＵ３１は、ホストコンピュータ１０から受信したコマンドに従って、小切手発行処理、手形発行処理、パーソナルチェック発行処理を実行する。これらの各処理において、ＣＰＵ３１は給紙カセット４１ａ〜４１ｆの何れかを選択し、選択した給紙カセットから給紙した証券用紙にホストコンピュータ１０から受信した券面要件のフォームデータを指定された部数印刷し、小切手、手形、パーソナルチェックを発行する。
【０１０８】
したがって、証券発行装置３０において給紙カセットを交換することなく小切手及び手形並びにパーソナルチェックを発行することができる。これにより、給紙カセットの交換に要していたオペレータの作業を軽減し、証券発行作業の効率を向上させることができる。また、誤った給紙カセットをセットするミスをなくすことができるため、誤った証券用紙に印刷を行うことがなく、再発行に要する作業時間及びコストを削減することが可能である。
【０１０９】
なお、上記実施の形態においては、証券発行装置３０に６段の給紙カセット４１ａ〜４１ｆを設け、図７に示すように、各給紙カセットに小切手表紙／裏紙用紙、小切手受領書用紙、手形表紙／裏紙用紙、手形受領書用紙、パーソナルチェック表紙用紙、本券用紙を各々収納することとしたが、各給紙カセットに収納可能な証券用紙の券種はこれに限定されない。
【０１１０】
例えば、図１７に示すように、証券発行装置３０を利用して印刷する任意の証券用紙Ａ〜Ｆを給紙カセット４１ａ〜４１ｆに収納し、各給紙カセットの識別情報と証券用紙の券種の情報とを対応付けてＨＤＤ３９に記憶させることによって、給紙カセットに収納する証券用紙の券種を自由に設定することができる。例えば、大量に使用する用紙を大容量給紙カセット４１ｆに設定したり、使用頻度の高い用紙を用紙の補充が容易な１段目に設定することによって、効率よく証券発行処理を実施することが可能である。
【０１１１】
また、上記実施の形態の証券発行装置３０には６段の給紙カセットを設けることとしたが、給紙カセットの数はこれに限定されない。例えば、小切手と証券のみを発行する場合には、小切手の表紙兼裏紙用紙、小切手受領書用紙、手形表紙兼裏紙用紙、手形受領書用紙、本券用紙の５種類の証券用紙を収納する５段の給紙カセットを設けてもよい。また、発行する券種を増やす場合には、給紙カセットの数を増設してもよい。
【０１１２】
この他に、証券発行装置３０により、複製や偽造を防ぐことが必要とされる証券以外の証明書類を発行することも可能である。例えば、地方自治体で発行される住民票、戸籍謄本、印鑑登録証等の各種証明書類を、証券発行装置３０を利用して印刷すれば、証明書類の発行作業を簡略化できる。
【０１１３】
更に、上記実施の形態において、給紙カセット４１ａ〜４１ｆを証券発行装置３０本体から取外し不可とするための構成を図８に示して説明したが、給紙カセットを本体から取り外しできないように設ける構成であれば、他の構成を適用することも可能である。
【０１１４】
その他、証券発行システム１００を構成する各装置の細部構成、及び細部動作に関しても、本発明の趣旨を逸脱することのない範囲で適宜変更可能である。
【０１１５】
【発明の効果】
請求項１記載の発明によれば、オペレータによる給紙カセット交換作業の手間を省き、証券発行の作業効率を高めることができる。また、印刷ミスの発生を抑えて、再発行に要する余分なコスト及び時間を低減することができる。
【図面の簡単な説明】
【図１】本発明を適用した一実施の形態による証券発行システム１００の全体構成を示す図である。
【図２】図２のＲＡＭ１５に格納された印刷ジョブファイル１５１の構成例を示す図である。
【図３】図１の記憶装置１６に格納された証券発行情報管理ＤＢ１６１の構成例を示す図である。
【図４】図３の証券発行情報管理ＤＢ１６１に格納された印字制御ファイル１７０のデータ格納例を示す図である。
【図５】図３の証券発行情報管理ＤＢ１６１に格納された券種設定ファイル１７２のデータ格納例を示す図である。
【図６】図１の証券発行装置３０の機能的構成を示すブロック図である。
【図７】図６のＨＤＤ３９に格納された給紙カセット情報テーブル３９ａの構成例を示す図である。
【図８】図６の印刷装置４１の一部断面図である。
【図９】図１の証券発行システム１００における証券の依頼から発行までの処理工程の全体的な流れを示す図である。
【図１０】図１のホストコンピュータ１０のＣＰＵ１１による小切手発行制御処理を説明するためのフローチャートである。
【図１１】図１の証券発行装置３０のＣＰＵ３１による小切手発行処理を説明するためのフローチャートである。
【図１２】図１のホストコンピュータ１０のＣＰＵ１１による手形発行制御処理を説明するためのフローチャートである。
【図１３】図１の証券発行装置３０のＣＰＵ３１による手形発行処理を説明するためのフローチャートである。
【図１４】図１のホストコンピュータ１０のＣＰＵ１１によるパーソナルチェック発行制御処理を示すフローチャートである。
【図１５】図１の証券発行装置３０のＣＰＵ３１によるパーソナルチェック発行処理を示すフローチャートである。
【図１６】図１の証券発行装置３０による小切手発行処理及び手形発行処理において実行される給紙カセット選択処理を説明するためのフローチャートである。
【図１７】図６のＨＤＤ３９に格納された給紙カセット情報テーブル３９ａの変形例を示す図である。
【符号の説明】
１０　ホストコンピュータ
１１，３１　ＣＰＵ
１２，４０　表示装置
１３，３８　入力装置
１４　伝送制御部
１５，３３　ＲＡＭ
１６　記憶装置
１７，３５　Ｉ／Ｆ
１８，４３　バス
３０　証券発行装置
３０ａ　メイン制御部
３２　外部入力制御部
３４　外部記憶制御部
３６　表示制御部
３７　証券印刷制御部
３９　ＨＤＤ
４１　印刷装置
４１ａ，４１ｂ，４１ｃ，４１ｄ，４１ｅ，４１ｆ　給紙カセット
４２　後処理装置
４２ａ　デカーラ機構部
４２ｂ　スリッタ機構部
４２ｃ　イメージキャプチャ部
４２ｄ　搬送機構部
４２ｅ　ＭＩＣＲリーダ機構部
４２ｆ　スタッカ機構部
１００　証券発行システム
Ｃ　ケーブル
【図１】
2004106224.tif 000003
【図２】
2004106224.tif 000004
【図３】
2004106224.tif 000005
【図４】
2004106224.tif 000006
【図５】
2004106224.tif 000007
【図６】
2004106224.tif 000008
【図７】
2004106224.tif 000009
【図８】
2004106224.tif 000010
【図９】
2004106224.tif 000011
【図１０】
2004106224.tif 000012
【図１１】
2004106224.tif 000013
【図１２】
2004106224.tif 000014
【図１３】
2004106224.tif 000015
【図１４】
2004106224.tif 000016
【図１５】
2004106224.tif 000017
【図１６】
2004106224.tif 000018
【図１７】
2004106224.tif 000019